(57)【要約】【課題】削除禁止コンテンツデータの存在をユーザが容易に把握させ、記憶手段におけるコンテンツデータの管理を容易かつ適切に行なうようにする。【解決手段】記憶手段に保存されたコンテンツデータを外部からの指示に基づいて削除可能な映像再生装置であって、上記記憶手段に保存されるコンテンツデータに対して削除禁止の設定を行なう削除禁止設定手段と、上記削除禁止の設定がされたコンテンツデータのうち削除禁止の設定がされてから所定期間が経過したコンテンツデータを示す通知情報を所定の画面に表示させる表示制御手段と、上記画面に上記通知情報が示されたコンテンツデータについて、外部からの指示に基づいて、上記削除禁止の設定の解除または当該設定の継続をする管理手段とを備える。【選択図】図３
2013168794.tif 000002
【特許請求の範囲】
【請求項１】
記憶手段に保存されたコンテンツデータを外部からの指示に基づいて削除可能な映像再生装置であって、
上記記憶手段に保存されるコンテンツデータに対して削除禁止の設定を行なう削除禁止設定手段と、
上記削除禁止の設定がされたコンテンツデータのうち削除禁止の設定がされてから所定期間が経過したコンテンツデータを示す通知情報を所定の画面に表示させる表示制御手段と、
上記画面に上記通知情報が示されたコンテンツデータについて、外部からの指示に基づいて、上記削除禁止の設定の解除または当該設定の継続をする管理手段と、を備えることを特徴とする映像再生装置。
【請求項２】
上記表示制御手段は、上記削除禁止の設定がされたコンテンツデータのうち上記設定の継続が指示されてから所定期間が経過したコンテンツデータについても、上記通知情報を上記画面に表示させることを特徴とする請求項１に記載の映像再生装置。
【請求項３】
上記表示制御手段は、上記削除禁止の設定がされたコンテンツデータのうち上記設定の継続が指示された回数が所定回数以上となったコンテンツデータについては、上記通知情報の表示の対象から除外することを特徴とする請求項２に記載の映像再生装置。
【請求項４】
上記表示制御手段は、上記記憶手段の記憶容量内における上記削除禁止の設定がされたコンテンツデータが占める量を上記画面に表示させることを特徴とする請求項１〜請求項３のいずれかに記載の映像再生装置。
【請求項５】
上記表示制御手段は、予め登録された外部の端末装置に対して上記通知情報を送信して当該端末装置が備える画面に当該通知情報を表示させ、上記管理手段は、当該端末装置から上記指示を受信することを特徴とする請求項１〜請求項４のいずれかに記載の映像再生装置。
【請求項６】
映像再生装置によって保存内容が管理される所定の記憶手段に保存され且つ削除禁止の設定がされたコンテンツデータのうち、削除禁止の設定がされてから所定期間が経過したコンテンツデータを示す通知情報を、当該映像再生装置から受信する受信手段と、
上記受信した通知情報を所定の画面に表示する表示手段と、
上記画面に表示した通知情報が示すコンテンツデータについて、上記削除禁止の設定の解除または当該設定の継続の指示を受け付ける受付手段と、
上記受け付けた指示を上記映像再生装置に送信する送信手段と、を備えることを特徴とする端末装置。
【請求項７】
端末装置に搭載されたコンピュータに所定の機能を実行させる端末装置制御プログラムであって、
映像再生装置によって保存内容が管理される所定の記憶手段に保存され且つ削除禁止の設定がされたコンテンツデータのうち、削除禁止の設定がされてから所定期間が経過したコンテンツデータを示す通知情報を、当該映像再生装置から受信する受信機能と、
上記受信した通知情報を所定の画面に表示する表示機能と、
上記画面に表示した通知情報が示すコンテンツデータについて、上記削除禁止の設定の解除または当該設定の継続の指示を受け付ける受付機能と、
上記受け付けた指示を上記映像再生装置に送信する送信機能と、を実行させることを特徴とする端末装置制御プログラム。
【請求項８】
記憶手段に保存されたコンテンツデータを外部からの指示に基づいて削除可能な映像再生装置と、当該映像再生装置と通信可能な端末装置とを含むコンテンツデータ管理システムであって、
上記映像再生装置は、上記記憶手段に保存されるコンテンツデータに対して削除禁止の設定を行なう削除禁止設定手段と、上記削除禁止の設定がされたコンテンツデータのうち削除禁止の設定がされてから所定期間が経過したコンテンツデータを示す通知情報を上記端末装置に送信する送信手段と、上記端末装置から上記通知情報にかかるコンテンツデータについての上記削除禁止の設定の解除または当該設定の継続の指示を受信する受信手段と、受信した当該指示に基づいて上記通知情報にかかるコンテンツデータについて上記削除禁止の設定の解除または当該設定の継続をする管理手段と、を備え、
上記端末装置は、上記通知情報を上記映像再生装置から受信する受信手段と、上記受信した通知情報を所定の画面に表示する表示手段と、上記画面に表示した通知情報が示すコンテンツデータについて、上記削除禁止の設定の解除または当該設定の継続の指示を受け付ける受付手段と、上記受け付けた指示を上記映像再生装置に送信する送信手段と、
を備えることを特徴とするコンテンツデータ管理システム。
【発明の詳細な説明】
【技術分野】
【０００１】
本発明は、映像再生装置、端末装置、端末装置制御プログラムおよびコンテンツデータ管理システムに関する。
【背景技術】
【０００２】
テレビジョン（以下、ＴＶ）や、ＤＶＤ（Digital Versatile Disk）やＢＤ（Blu-ray Disc）等のデジタルメディアを再生可能なプレーヤ等に代表される映像再生装置では、内蔵あるいは外付けのＨＤＤ（Hard Disk Drive）にテレビ番組等のコンテンツを録画することができる。ＨＤＤの容量には限界があるため、ＨＤＤに録画された過去のコンテンツを削除してＨＤＤの容量を確保する技術について以下のような提案がなされている。
【０００３】
関連技術として、記録手段に記録されたコンテンツのうち消去対象となるコンテンツを示す通知情報を通信回線を介して通知先に送信し、通信回線を介して通知コンテンツの選択条件を受信し、受信した通知コンテンツの選択条件に基づいて、記録手段におけるコンテンツの消去を制御するコンテンツ管理装置が知られている（特許文献１参照）。また、新たな外部データのダウンロード時に、外部データのサイズをデータ格納手段の残り容量と比較し、容量が不足しているときに限り、削除をできるだけ回避すべき外部データに付されるロック情報が付与されている外部データの中からユーザによって選択された外部データを削除する映像再生装置が知られている（特許文献２参照）。
【先行技術文献】
【特許文献】
【０００４】
【特許文献１】特許第４２５６２８７号
【特許文献２】特開２００７‐２２１５０４号公報
【発明の概要】
【発明が解決しようとする課題】
【０００５】
ここで、ユーザは、所望のコンテンツをＨＤＤ等の記憶手段に保存する際に、記憶手段からの削除禁止を当該コンテンツに関連付けて設定することができる。このように削除禁止が設定されたコンテンツは、削除や上書される対象から除外される。しかしながら、ユーザは、各コンテンツに対して任意に削除禁止の設定を行なえるため、どれほどのコンテンツに削除禁止の設定をしたか正確に認識することが難しく、映像再生装置の使用を続けていくうちに削除禁止のコンテンツが増加してしまう傾向にある。このように削除禁止のコンテンツが増加していくと、記憶手段における使用可能容量が逼迫し、かかる状況を放置しておくとユーザが新たなコンテンツを録画できない事態となり得る。
【０００６】
本発明は上記課題を解決するためになされたものであり、削除禁止の設定がされたコンテンツデータの存在をユーザが容易に把握することができ、また、記憶手段におけるコンテンツデータを容易かつ適切に管理することが可能な映像再生装置、端末装置、端末装置制御プログラムおよびコンテンツデータ管理システムを提供する。
【課題を解決するための手段】
【０００７】
本発明の態様の一つは、記憶手段に保存されたコンテンツデータを外部からの指示に基づいて削除可能な映像再生装置であって、上記記憶手段に保存されるコンテンツデータに対して削除禁止の設定を行なう削除禁止設定手段と、上記削除禁止の設定がされたコンテンツデータのうち削除禁止の設定がされてから所定期間が経過したコンテンツデータを示す通知情報を所定の画面に表示させる表示制御手段と、上記画面に上記通知情報が示されたコンテンツデータについて、外部からの指示に基づいて、上記削除禁止の設定の解除または当該設定の継続をする管理手段と、を備える構成としてある。
【０００８】
当該構成によれば、ユーザは、削除禁止の設定がされたコンテンツデータのうち当該設定がされてから所定期間が経過したコンテンツデータを画面を介して把握し、その設定を解除するか、継続する（削除禁止の設定を維持する）か自由に選択することができる。そのため、記憶手段の容量内で削除禁止のコンテンツデータがいたずらに増加してしまうことを効果的に防止でき、また、画面への上記通知情報の表示により、ユーザに対して削除禁止のコンテンツデータの視聴を促すことができる。
【図面の簡単な説明】
【０００９】
【図１】コンテンツデータ管理システムの構成を概略的に示すブロック図である。
【図２】ＨＤＤに複数のコンテンツデータが保存された様子を例示する図である。
【図３】映像再生装置側で実行する処理を示すフローチャートである。
【図４】端末装置側で実行する処理を示すフローチャートである。
【図５】ディスプレイに通知情報が表示される様子を例示する図である。
【図６】ディスプレイに表示される他の内容を例示する図である。
【図７】ＨＤＤに複数のコンテンツデータが保存された様子を例示する図である。
【図８】変形例にかかる処理を示すフローチャートである。
【図９】変形例にかかるディスプレイに通知情報が表示される様子を示す図である。
【発明を実施するための形態】
【００１０】
本発明の実施形態の一つとして、上記表示制御手段は、上記削除禁止の設定がされたコンテンツデータのうち上記設定の継続が指示されてから所定期間が経過したコンテンツデータについても、上記通知情報を上記画面に表示させるとしてもよい。
また、本発明の実施形態の一つとして、上記表示制御手段は、上記削除禁止の設定がされたコンテンツデータのうち上記設定の継続が指示された回数が所定回数以上となったコンテンツデータについては、上記通知情報の表示の対象から除外するとしてもよい。
また、本発明の実施形態の一つとして、上記表示制御手段は、上記記憶手段の記憶容量内における上記削除禁止の設定がされたコンテンツデータが占める量を上記画面に表示させるとしてもよい。
また、本発明の実施形態の一つとして、上記表示制御手段は、予め登録された外部の端末装置に対して上記通知情報を送信して当該端末装置が備える画面に当該通知情報を表示させ、上記管理手段は、当該端末装置から上記指示を受信するとしてもよい。
【００１１】
また、本発明の思想は、映像再生装置としてだけではなく、映像再生装置の構成に対応する方法やプログラムとしても具現化され、また、映像再生装置以外の装置、方法、プログラムによっても実現される。その一例として、映像再生装置によって保存内容が管理される所定の記憶手段に保存され且つ削除禁止の設定がされたコンテンツデータのうち、削除禁止の設定がされてから所定期間が経過したコンテンツデータを示す通知情報を、当該映像再生装置から受信する受信手段と、上記受信した通知情報を所定の画面に表示する表示手段と、上記画面に表示した通知情報が示すコンテンツデータについて、上記削除禁止の設定の解除または当該設定の継続の指示を受け付ける受付手段と、上記受け付けた指示を上記映像再生装置に送信する送信手段と、を備える端末装置を把握することができる。
また、端末装置に搭載されたコンピュータに所定の機能を実行させる端末装置制御プログラムであって、映像再生装置によって保存内容が管理される所定の記憶手段に保存され且つ削除禁止の設定がされたコンテンツデータのうち、削除禁止の設定がされてから所定期間が経過したコンテンツデータを示す通知情報を、当該映像再生装置から受信する受信機能と、上記受信した通知情報を所定の画面に表示する表示機能と、上記画面に表示した通知情報が示すコンテンツデータについて、上記削除禁止の設定の解除または当該設定の継続の指示を受け付ける受付機能と、上記受け付けた指示を上記映像再生装置に送信する送信機能と、を実行させるプログラムを把握することができる。
さらには、記憶手段に保存されたコンテンツデータを外部からの指示に基づいて削除可能な映像再生装置と、当該映像再生装置と通信可能な端末装置とを含むコンテンツデータ管理システムであって、上記映像再生装置は、上記記憶手段に保存されるコンテンツデータに対して削除禁止の設定を行なう削除禁止設定手段と、上記削除禁止の設定がされたコンテンツデータのうち削除禁止の設定がされてから所定期間が経過したコンテンツデータを示す通知情報を上記端末装置に送信する送信手段と、上記端末装置から上記通知情報にかかるコンテンツデータについての上記削除禁止の設定の解除または当該設定の継続の指示を受信する受信手段と、受信した当該指示に基づいて上記通知情報にかかるコンテンツデータについて上記削除禁止の設定の解除または当該設定の継続をする管理手段と、を備え、上記端末装置は、上記通知情報を上記映像再生装置から受信する受信手段と、上記受信した通知情報を所定の画面に表示する表示手段と、上記画面に表示した通知情報が示すコンテンツデータについて、上記削除禁止の設定の解除または当該設定の継続の指示を受け付ける受付手段と、上記受け付けた指示を上記映像再生装置に送信する送信手段と、を備えるシステムを把握することができる。
【００１２】
以下、図面を参照しながら本発明の実施形態を説明する。
１．装置構成の概略
図１は、本実施形態にかかるコンテンツデータ管理システム１の構成を概略的に示したブロック図である。当該システム１は、映像再生装置１０と端末装置２０とを含む。映像再生装置１０には、ＴＶ、ＤＶＤやＢＤ等のデジタルメディアを再生可能なプレーヤ、ＨＤＤレコーダ等が該当する。端末装置２０には、携帯電話機、タブレット型コンピュータ、携帯型音楽プレーヤ、ラップトップ型あるいはデスクトップ型のパーソナルコンピュータ（ＰＣ）等、各種端末装置が該当し、特に本実施形態では、移動型端末装置を想定している。
【００１３】
映像再生装置１０は、例えば、チューナ１１、システムオンチップ（ＳｏＣ）１２、タイミングコントローラ（Ｔ‐ＣＯＮ）１３、ディスプレイ１４、操作部１５、赤外線（ＩＲ）受光部１６、ディスクドライブ１７、ＨＤＤ１８、通信部１９などを備える。ディスプレイ１４は、例えば液晶パネルやプラズマディスプレイパネル等である。映像再生装置１０がＴＶでない場合は、映像再生装置１０は、ディスプレイ１４を含まず、ケーブル等で接続されたディスプレイ１４に対して映像を出力する。
【００１４】
ＳｏＣ１２は、映像再生装置１０全体を制御するためのワンチップ化された集積回路であり、ＣＰＵや各種メモリー（ＲＯＭやＲＡＭ等）を搭載する。ＳｏＣ１２は、所定のプログラムに従って映像再生装置１０を制御する。チューナ１１は、ＳｏＣ１２による制御下で、放送信号を受信し、中間周波信号（ＩＦ）をＳｏＣ１２へ出力する。ＳｏＣ１２は、ＩＦに基づいて映像信号や音声信号をデコードしたり、映像信号に対して所定の補正や画質調整を実行し、映像信号をＴ‐ＣＯＮ１３へ出力する。また、ＳｏＣ１２は、通信部１９を制御することにより、外部の機器（端末装置２０等）と無線あるいは有線にて相互に通信を行なうことができる。
【００１５】
ディスクドライブ１７は、挿入されたＤＶＤやＢＤ等のメディアを対象として情報の読み出しおよび情報の書き込みが可能である。ＨＤＤ１８は、記憶手段の一種に該当し、チューナ１１を介して受信された放送信号に含まれる番組や不図示のインターネット回線を介してダウンロードされた動画等の各種コンテンツを保存することができる。ＳｏＣ１２は、ディスクドライブ１７がメディアから読み出したコンテンツやＨＤＤ１８から読み出したコンテンツにかかる映像信号をＴ‐ＣＯＮ１３へ出力することもできる。
【００１６】
Ｔ‐ＣＯＮ１３は、入力した映像信号をフレームメモリ（図示せず）に一時的に保存しつつ、当該保存した信号に対応する駆動信号を所定のタイミングでディスプレイ１４に出力することにより、画素の配列により構成されたディスプレイ１４の各画素を駆動してディスプレイ１４に映像信号に基づく映像を表示させる。なお、映像再生装置１０は、必ずしもディスクドライブ１７やＨＤＤ１８を筺体に内蔵する必要は無く、ＵＳＢ（Universal Serial Bus）等の通信規格を通じて外付けのディスクドライブ１７やＨＤＤ１８と接続していても良い。また、ディスクドライブ１７は必須の構成ではない。
【００１７】
操作部１５は、ボタンやスイッチやタッチパネル等からなり、ユーザが入力する指示を受け付ける。ＩＲ受光部１６は、ユーザが操作する不図示のリモートコントロール（リモコン）装置から送信されるＩＲ信号を受信する。なお、映像再生装置１０は、図１に示した構成以外にも、映像や音声を外部から入力するための外部入力端子、電源回路、その他、音声信号処理回路やスピーカ等、公知の各構成を備え得る。
【００１８】
端末装置２０は、例えば、ＣＰＵ２１、ＲＯＭ２２、ＲＡＭ２３、通話部２４、通信部２５、ディスプレイ２６、操作部２７などを備える。ディスプレイ２６は、例えば液晶パネルである。端末装置２０では、ＣＰＵ２１が所定のメモリー（ＲＯＭ２２等）に記録された所定のプログラム（例えば端末装置制御プログラム）に従った処理を、ＲＡＭ２３をワークエリアとして用いながら実行する。また、ＣＰＵ２１は、通信部２５を制御することにより、外部の機器（映像再生装置１０等）と無線あるいは有線にて相互に通信を行なうことができる。操作部２７は、ボタンやスイッチやタッチパネルやキーボードやマウス等からなり、ユーザが入力する指示を受け付ける。通話部２４は、マイクロフォンやスピーカを有し、電話回線を通じた通話機能を提供する。ただし、通話部２４は必須の構成ではない。
【００１９】
２．削除禁止の設定
上記構成において、ユーザは、操作部１５やリモコン装置を操作することにより、ＨＤＤ１８に保存される各コンテンツデータに対して削除禁止の設定をすることができる。例えば、ユーザは、放送される番組のＨＤＤ１８への録画予約を行なう際に併せて録画対象の番組に削除禁止の設定をしたり、既にＨＤＤ１８に既に録画された番組に対して任意のタイミングで削除禁止の設定をしたりすることができる。
【００２０】
図２は、ＨＤＤ１８に複数のコンテンツデータ（番組）Ａ，Ｂ，Ｃ，Ｄ…が保存された様子を例示しており、これらコンテンツデータＡ，Ｂ，Ｃ，Ｄ…には削除禁止フラグＦが付与されている。ＳｏＣ１２は、上述したようなユーザによる操作部１５やリモコン装置の操作に応じて、コンテンツデータＡ，Ｂ，Ｃ，Ｄ…の削除禁止フラグＦを「ＯＮ」又は「ＯＦＦ」に設定する。削除禁止フラグＦが「ＯＮ」に設定されたコンテンツデータ（削除禁止コンテンツデータと呼ぶ。）は、ＨＤＤ１８の使用可能領域を確保すべく例えばユーザが操作部１５やリモコン装置を介して既存データの削除を指示した場合であっても、削除の対象外となる。また、削除禁止コンテンツデータは、新たなコンテンツデータによって上書されることもない。一方、削除禁止フラグＦが「ＯＦＦ」に設定されたコンテンツデータ（削除可能コンテンツデータと呼ぶ。）は、ユーザの削除指示によって削除され、また、新たなコンテンツデータによる上書も許容されている。ＳｏＣ１２は、コンテンツデータに削除禁止フラグＦとして「ＯＮ」を設定した日時の情報もコンテンツデータ毎に併せて記憶しておく。このような削除禁止フラグＦの設定を実行可能な構成を有する点で、映像再生装置１０は削除禁止設定手段を備えると言える。
【００２１】
３．コンテンツデータの管理処理
図３は、本実施形態において映像再生装置１０側で実行するコンテンツデータの管理処理をフローチャートにより示しており、図４は、本実施形態において端末装置２０側で実行するコンテンツデータの管理処理をフローチャートにより示している。
図３の処理は、例えば、一定時間間隔（数時間おき、数日おき等）で実行されるとしてもよいし、予め決められた時刻や曜日や日時に実行されるとしてもよいし、映像再生装置１０の主電源を立ち上げたタイミングで実行されるとしてもよい。図３において、まずステップＳ１００では、ＳｏＣ１２は、現時点でＨＤＤ１８に保存されているコンテンツデータのうち削除禁止コンテンツデータだけを対象として次の判定を行う。
【００２２】
ＳｏＣ１２は、削除禁止コンテンツデータのうち後述する削除禁止の継続の決定が１回もされていない（後述の“継続回数”が０である）ものについては、削除禁止の設定がされてから（削除禁止フラグＦが「ＯＮ」に設定されてから）所定期間が経過したものが存在するか否か判定し、削除禁止の設定がされてから当該所定期間が経過したものについては、“期間途過コンテンツデータ”と認知する。また、削除禁止コンテンツデータのうち継続回数が１以上のものについては、削除禁止の継続の直近の決定がされてから当該所定期間が経過したものが存在するか否か判定し、削除禁止の継続の直近の決定がされてから当該所定期間が経過したものについても、“期間途過コンテンツデータ”と認知する。当該所定期間とは、予め初期値として設定された期間あるいはユーザが任意に設定した期間であり、例えば、数日間あるいは数週間といった期間が想定される。そして、期間途過コンテンツデータが一つでも存在する場合（ステップＳ１００において“Ｙｅｓ”）には、ステップＳ１１０に進む。一方、期間途過コンテンツデータが存在しない場合（ステップＳ１００において“Ｎｏ”）は、図３の処理を終える。
【００２３】
ステップＳ１１０では、ＳｏＣ１２は、ステップＳ１００の判定により特定した期間途過コンテンツデータを示す通知情報を生成し、当該通知情報を通信部１９を介して特定の端末装置２０に送信する。特定の端末装置２０とは、通知情報の送信先として予め映像再生装置１０に対して登録済みの端末装置２０を言い、例えば、ＭＡＣアドレス等が登録されている。特定の端末装置２０の台数は単数でも複数でもよい。なお、期間途過コンテンツデータが複数ある場合には、通知情報は各期間途過コンテンツデータについて生成され、特定の端末装置２０に送信される。このように通知情報を端末装置２０に送信可能な構成を有する点で、映像再生装置１０は送信手段を備えると言える。
【００２４】
次に、図４に基づいて端末装置２０側の処理を説明する。ステップＳ２００では、端末装置２０のＣＰＵ２１が、映像再生装置１０から送信された上記通知情報を通信部２５を介して受信する。
そして、ステップＳ２１０では、ＣＰＵ２１は、当該受信した通信情報の内容をディスプレイ２６に表示させる。このように通知情報を受信し、表示可能な構成を有する点で、端末装置２０は受信手段および表示手段を備えると言える。また、映像再生装置１０は、上記通知情報を端末装置２０に送信することで上記通知情報を端末装置２０のディスプレイ２６に表示させることが可能な点で、表示制御手段を備えると言える。
【００２５】
図５は、ステップＳ２１０においてディスプレイ２６の画面に通知情報が表示された様子を例示している。図５では、ある一つの期間途過コンテンツデータについての通知情報を例示している。複数の期間途過コンテンツデータについての通知情報を受信した場合は、このような通知情報を期間途過コンテンツデータ毎に、ページを変えて或いは一覧状にして表示する。通知情報としては、例えば、コンテンツを特定する番組名等の情報（コンテンツ名）、コンテンツデータのＨＤＤ１８内におけるサイズ（データサイズ）、削除禁止の設定がされてからの経過日数（経過日数。経過時間でも可。）、削除禁止の継続の決定がなされた回数（継続回数）等が表示される。他にも、通知情報として、コンテンツのより詳しい内容を記したテキスト文書や、過去の視聴回数（再生回数）等を併せて表示しても良い。
【００２６】
さらに、ステップＳ２１０では、上記通知情報の表示とともに、対応する期間途過コンテンツデータについて削除禁止の設定の解除または当該設定の継続の指示を受け付けるための表示を行なう。図５に例示するように、ディスプレイ２６の画面には「このコンテンツの削除禁止を解除しますか？」等のメッセージとともに、“削除禁止の設定の解除”を意味する「Ｙｅｓ」と記された入力欄２６ａおよび“削除禁止の設定の継続”を意味する「Ｎｏ」と記された入力欄２６ｂが表示される。ユーザは、表示された通知情報を確認しながら操作部２７を操作して入力欄２６ａ，２６ｂのいずれか一方を選択することにより、期間途過コンテンツデータ毎に、削除禁止の設定の解除または当該設定の継続を指示することができる。
【００２７】
ステップＳ２２０では、ＣＰＵ２１は当該指示を受け付ける。このような、ユーザからの指示を受け付け可能な構成を有する点で、端末装置２０は受付手段を備えると言える。なお、上記ステップＳ２１０では、図５に例示した表示に加え、図６に例示したような表示を（ディスプレイ２６における同一ページ上で或いは別のページ上で）行なうとしてもよい。図６では、ＨＤＤ１８の記憶容量（総容量）内における、削除可能領域と、削除禁止領域と、未使用領域（使用可能領域）との比率を円グラフ２６ｃにより示している。削除可能領域は、ＨＤＤ１８に保存されているコンテンツデータのうち削除可能コンテンツデータが占める領域であり、削除禁止領域は、ＨＤＤ１８に保存されているコンテンツデータのうち削除禁止コンテンツデータが占める領域である。削除禁止領域については、さらに期間途過コンテンツデータと期間途過コンテンツデータに該当しない削除禁止コンテンツデータとに分けてその比率を表示するようにしてもよい。ユーザは、このような削除禁止領域の比率をディスプレイ２６上で確認することにより、期間途過コンテンツデータについて削除禁止の解除の必要性を適切に判断して上記指示を行うことができる。
【００２８】
上記ステップＳ２２０で上記指示を受け付けた（ステップＳ２２０において“Ｙｅｓ”）後、ＣＰＵ２１は、ステップ２３０において、上記ステップＳ２２０で受け付けた指示を示す情報（コマンド）を、通信部２５を介して映像再生装置１０（上記通知情報の送信元の映像再生装置１０）に送信する。当該ステップＳ２３０を実行可能な構成を有する点で、端末装置２０は送信手段を備えると言える。
【００２９】
図３に戻って、映像再生装置１０側の処理を説明する。ステップＳ１２０では、ＳｏＣ１２は、上記通知情報の送信先の端末装置２０から上記コマンドを通信部１９を介して受信したか否か判定し、受信した場合（ステップＳ１２０において“Ｙｅｓ”）は、ステップＳ１３０へ進む。このように上記コマンドを端末装置２０から受信する構成を有する点で、映像再生装置１０は受信手段を備えると言える。
【００３０】
ステップＳ１３０では、ＳｏＣ１２は、ステップＳ１２０で受信した上記コマンドが示す内容に応じて処理を分岐する。つまり、上記コマンドが、ある期間途過コンテンツデータについて削除禁止の設定の解除を指示するものである場合（ステップＳ１３０において“Ｙｅｓ”）は、ステップＳ１４０に進み、一方、当該期間途過コンテンツデータについて削除禁止の設定の継続を指示するものである場合（ステップＳ１３０において“Ｎｏ”）は、ステップＳ１５０へ進む。ステップＳ１４０では、ＳｏＣ１２は、当該期間途過コンテンツデータについての削除禁止フラグＦの設定を「ＯＮ」から「ＯＦＦ」へ変更する。この結果、当該期間途過コンテンツデータは、削除可能コンテンツデータとなる。
【００３１】
一方、ステップＳ１５０では、ＳｏＣ１２は、当該期間途過コンテンツデータについての削除禁止フラグＦの設定を「ＯＮ」のまま維持する。一例として、ステップＳ１３０において“Ｎｏ”と判定されたタイミングが、当該期間途過コンテンツデータについて削除禁止の継続の決定がなされたタイミングであると言える。そのため、ステップＳ１５０では、当該継続の決定の日時の情報をコンテンツデータに関連付けて記憶しておく。かつステップＳ１５０では、当該期間途過コンテンツデータについての継続回数に＋１を加え、記憶する。期間途過コンテンツデータは、継続回数が１つ増加されたときに、期間途過コンテンツデータに該当しない削除禁止コンテンツデータとなる。このように外部からの指示に基づいて削除禁止の設定の解除または当該設定の継続をする構成を有す点で、映像再生装置１０は管理手段を備えると言える。なお、ステップＳ１２０において複数の期間途過コンテンツデータについて上記コマンドを受信した場合は、その複数の期間途過コンテンツデータ毎にステップＳ１３０〜Ｓ１５０の処理を行なう。
【００３２】
図３および図４に示したコンテンツデータの管理処理を一通り行なった結果を、図２と図７を比較して説明する。図２は、当該管理処理が行なわれる直前のＨＤＤ１８内における各コンテンツデータＡ，Ｂ，Ｃ，Ｄ…を例示しており、図７は、当該管理処理が行なわれた直後のＨＤＤ１８内における各コンテンツデータＡ，Ｂ，Ｃ，Ｄ…を例示している。当該比較によれば、コンテンツデータＢ，Ｄについては、削除禁止フラグＦが「ＯＮ」から「ＯＦＦ」に変更されているため、期間途過コンテンツデータであった状態から削除可能コンテンツデータへ変更されたことが判る。また、コンテンツデータＡについては、削除禁止フラグＦが「ＯＮ」のまま維持されているため、仮に当該管理処理の開始時において期間途過コンテンツデータであったならば、当該管理処理の結果、継続回数が１つ増加し、期間途過コンテンツデータに該当しない削除禁止コンテンツデータの状態となったこととなる。
【００３３】
このように本実施形態によれば、映像再生装置１０は、ＨＤＤ１８（記憶手段）に保存したコンテンツデータであって削除禁止コンテンツデータを対象として、削除禁止の設定がされてから（あるいは、削除禁止の継続の決定がされてから）所定期間が経過したものについてはその存在をユーザの端末装置２０に通知し、端末装置２０のディスプレイ２６に表示させるとした。そのため、ユーザは、ＨＤＤ１８においてある程度の長期間保存されたままになっている削除禁止コンテンツデータ（期間途過コンテンツデータ）の存在を容易に把握することができる。また、ユーザに対し、このような期間途過コンテンツデータの存在を認識させることで、そのコンテンツデータの視聴を促すことができ好適である。
【００３４】
また本実施形態では、ユーザは、ディスプレイ２６上で、期間途過コンテンツデータにかかる各種情報（コンテンツ名、データサイズ、経過日数、継続回数、コンテンツ内容を記したテキスト文書、視聴回数、ＨＤＤ１８の記憶容量内における比率、等）を視認しながら、その期間途過コンテンツデータについての削除禁止の設定を解除するか否か選択することができる。つまりユーザは、自身にとっての期間途過コンテンツデータの重要性や記憶手段における容量の余裕等を勘案しながら、上記解除の要否を適切に判断することができる。その結果、記憶手段内において削除禁止コンテンツデータの量がそれらを把握できないまま増加し新たなコンテンツを録画できなくなる、といった状況を効果的に抑制し、記憶手段の効率的な利用が可能となる。
【００３５】
４．他の実施形態
本発明は上述の実施形態に限られるものではなく、その要旨を逸脱しない範囲において種々の態様において実施することが可能であり、例えば以下のような実施形態（変形例）も可能である。上記実施形態や各変形例を適宜組み合わせた内容も、本発明の開示範囲である。以下では、これまでに説明した事項と同様の事項については、適宜説明を省略する。
【００３６】
変形例の一つとして、映像再生装置１０は、期間途過コンテンツデータの通知情報を端末装置２０のディスプレイ２６に表示させるのではなく、自身のディスプレイ１４に表示させるとしてもよい。つまり、これまで上述した処理を、端末装置２０は用いずに映像再生装置１０で完結して行なうとしてもよい。図８は、当該変形例にかかるコンテンツデータの管理処理をフローチャートにより示している。図８および図３を比較すると、図８では、図３のステップＳ１１０，Ｓ１２０の替わりに、ステップＳ１０５，Ｓ１１５が実行される。ステップＳ１０５では、ＳｏＣ１２は、ステップＳ１００の判定により特定した期間途過コンテンツデータを示す通知情報を生成し、Ｔ‐ＣＯＮ１３を介して当該通知情報をディスプレイ１４に表示させる。通知情報の表示態様は、例えば図５，６に示した態様と同様とする。この結果、ユーザは、ディスプレイ１４に表示された通知情報を確認しながら操作部１５やリモコン装置を操作して入力欄２６ａ，２６ｂのいずれか一方を選択することにより、期間途過コンテンツデータ毎に、削除禁止の設定の解除または当該設定の継続を指示することができる。そしてステップＳ１１５では、ＳｏＣ１２は当該指示を受け付ける。
【００３７】
ステップＳ１１５で上記指示を受け付けた（ステップＳ１１５において“Ｙｅｓ”）後、ステップＳ１３０では、ＳｏＣ１２は、ステップＳ１１５で受け付けた指示が示す内容に応じて、上述したように処理を分岐する。このような変形例においても、映像再生装置１０は、削除禁止の設定がされたコンテンツデータのうち削除禁止の設定がされてから所定期間が経過したコンテンツデータを示す通知情報を所定の画面に表示させる表示制御手段と、所定の画面に上記通知情報が示されたコンテンツデータについて、外部からの指示に基づいて、上記削除禁止の設定の解除または当該設定の継続をする管理手段とを備えると言える。
【００３８】
変形例の一つとして、映像再生装置１０は、削除禁止コンテンツデータのうち継続回数が所定回数以上となったコンテンツデータについては、上記通知情報の表示の対象から除外するとしてもよい。具体的には、ＳｏＣ１２は、ステップＳ１００（図３，８）の判定において、削除禁止コンテンツデータのうち期間途過コンテンツデータに該当するものであっても、継続回数が所定回数（例えば２回）以上であれば、そのコンテンツデータについては通知情報を端末装置２０に送信したり（図３のステップＳ１１０）自身のディスプレイ１４に表示したり（図８のステップＳ１０５）することはしない。この結果、継続回数が例えば２回以上である期間途過コンテンツデータについては、上述したようなユーザへの削除禁止の解除要否の問い合わせが行なわれなくなり、ほぼ永久的にＨＤＤ１８に保存されることとなる。つまり、ユーザの意思により継続回数をある程度以上重ねたコンテンツについては、ユーザにとって重要度が高いものと判断できるため、永久保存版とする。むろん永久保存版とするといっても、絶対にＨＤＤ１８から削除できないようにするということではないが、かかる変形例を採用することで、上述した図３，４あるいは図８の処理の中では、継続回数がある程度多くなったコンテンツについては削除禁止の解除が不可能となり保護される。
【００３９】
これまでは、図５に示したような表示がディスプレイ１４，２６を介して提示されたユーザは、期間途過コンテンツデータについて、削除禁止の設定を解除するか否かしか選べないとしたが、他の選択肢をユーザに提供するとしてもよい。例えば、図９に示すように、「このコンテンツの削除禁止を解除する」というメッセージが付された入力欄２６ｄ（実質的に入力欄２６ａに相等。）、「このコンテンツの削除禁止を継続する」というメッセージが付された入力欄２６ｅ（実質的に入力欄２６ｂに相等。）の他に、「このコンテンツを再生する。」というメッセージが付された入力欄２６ｆや、「このコンテンツをダビングする」というメッセージが付された入力欄２６ｇも併せてディスプレイ１４，２６に表示する。そして、入力欄２６ｆが操作部１５，２７等の操作によって選択された場合は、映像再生装置１０は、入力欄２６ｆが意味する指示を受け付けて（図３，８の処理は終了して）、該当するコンテンツデータの再生を開始してユーザに視聴させる。また、入力欄２６ｇが操作部１５，２７等の操作によって選択された場合は、映像再生装置１０は、入力欄２６ｇが意味する指示を受け付けて（図３，８の処理は終了して）、該当するコンテンツデータをＨＤＤ１８から他のメディア（例えば、ディスクドライブ１７に挿入されたＤＶＤやＢＤ）にダビングする。
【００４０】
さらに、ＳｏＣ１２は、ステップＳ１００（図３，８）の判定において、期間途過コンテンツデータの有無をサーチする以前に、ＨＤＤ１８の容量全体における削除禁止コンテンツデータが占める割合が所定のしきい値以下である場合は“Ｎｏ”と判定し、処理を終わらせても良い。つまり、ＨＤＤ１８において未使用領域あるいは上書可能な領域にある程度余裕がある場合は、期間途過コンテンツデータの削除禁止の解除をユーザに問い合わせる緊急性が低いと言えるため、そのような場合には当該問い合わせをしないようにし、できるだけ期間途過コンテンツデータを保護する。
【符号の説明】
【００４１】
１…コンテンツデータ管理システム、１０…映像再生装置、１１…チューナ、１２…ＳｏＣ、１３…Ｔ‐ＣＯＮ、１４…ディスプレイ、１５…操作部、１６…ＩＲ受光部、１７…ディスクドライブ、１８…ＨＤＤ、１９…通信部、２０…端末装置、２１…ＣＰＵ、２２…ＲＯＭ、２３…ＲＡＭ、２４…通話部、２５…通信部、２６…ディスプレイ、２６ａ，２６ｂ，２６ｄ，２６ｅ，２６ｆ，２６ｇ…入力欄、２６ｃ…円グラフ、２７…操作部
【図１】
2013168794.tif 000003
【図２】
2013168794.tif 000004
【図３】
2013168794.tif 000005
【図４】
2013168794.tif 000006
【図５】
2013168794.tif 000007
【図６】
2013168794.tif 000008
【図７】
2013168794.tif 000009
【図８】
2013168794.tif 000010
【図９】
2013168794.tif 000011